(57)【特許請求の範囲】
【請求項１】
穂先側に配置される内側竿体と、
前記内側竿体を内部に収納可能な中空の外側竿体と、
前記外側竿体の竿尻側から内部に嵌め込まれた筒状の尻栓と、
前記尻栓の内周面に配置された筒状の取付部と、前記取付部の内周側に周方向に間隔を隔てて配置され、先端が中心方向に延び、かつ前記先端で構成される内径が前記内側竿体の竿尻部の外径より小さい襞状の複数の嵌合保持部とを有する弾性体製の嵌合部材と、
を備えた釣り竿。
【請求項２】
前記尻栓は弾性体製であり、
前記嵌合部材は前記尻栓と一体で形成されている、請求項１に記載の釣り竿。
【請求項３】
前記嵌合保持部は、前記取付部の軸方向に長くかつ中心に向かうほど厚みが薄くなる板状部材である、請求項１又は２に記載の釣り竿。
【請求項４】
前記尻栓は、外周に前記外側竿体に螺合する雄ネジ部を有している、請求項１から３のいずれかに記載の釣り竿。
【請求項５】
前記内側竿体と外側竿体の内部には釣り糸経路が形成されており、前記尻栓の竿尻側内周部には釣り糸を案内するガイドリングが装着されている、請求項１から４のいずれかに記載の釣り竿。
【発明の詳細な説明】
【０００１】
【発明の属する技術分野】
本発明は、釣り竿、特に、穂先側竿体が竿尻側竿体の内部に収納可能な釣り竿に関する。
【０００２】
【従来の技術】
たとえば、振出式の中通し竿において、穂先竿を除く各中間竿体の一部又は元竿の竿尻部には尻栓が装着されている。元竿用を除く尻栓の内面後部には、内部に釣り糸を案内するガイドリングが固定されている。この尻栓は、元竿又は各中間竿体に収納される竿体（以下、収納竿体という）の竿尻部を固定して、収納竿体が後方へ抜け出ないようにするものである。また、元竿の糸導入孔の竿先側で収納竿体を固定するタイプの中通し竿では、尻栓は、収納竿体を糸導入孔の竿先側で固定して釣り糸を糸導入口から竿体内部の糸挿通経路に通しやすくするためにも使用される。
【０００３】
このような尻栓として、実開平５−７０２７１号公報に開示されたものが知られている。この尻栓は弾性体製であり、中間竿体の竿尻部の内周部に着脱自在に螺合されている。尻栓の内周面には先広がりのテーパ状孔が形成されており、このテーパ状孔に収納竿体の竿尻部が嵌合され固定される。
【０００４】
【発明が解決しようとする課題】
前記従来の構成では、弾性体製の尻栓のテーパ状孔で収納竿体の竿尻部を嵌合固定しているので、内周側と外周側とで嵌合力が変化し、嵌合力を一定の状態に保ためには収納竿体の竿尻部の外径寸法に応じてテーパ状孔の寸法を変更しなければならない。つまり、嵌合力を一定の状態に維持しようとすると、収納竿体の外径寸法毎に異なる尻栓を用意する必要がある。したがって、中間竿体の寸法が同じであっても収納竿体の外径寸法が異なれば、異なる尻栓が必要になる。
【０００５】
本発明の課題は、異なる外径寸法の収納竿体を、嵌合力の変動を抑えて嵌合固定できるようにすることにある。
【０００６】
【課題を解決するための手段】
発明１に係る釣り竿は、穂先側に配置される内側竿体と、外側竿体と、尻栓と、弾性体製の嵌合部材とを備えている。外側竿体は、内側竿体を内部に収納可能な中空の竿体である。尻栓は、外側竿体の竿尻側から内部に嵌め込まれた筒状のものである。嵌合部材は、尻栓の内周面に配置された筒状の取付部と、取付部の内周側に周方向に間隔を隔てて配置され、先端が中心方向に延び、かつ先端で構成される内径が内側竿体の竿尻部の外径より小さい襞状の複数の嵌合保持部とを有する部材である。
【０００７】
この釣り竿では、内側竿体を回しながら外側竿体の内部に収納すると、嵌合保持部の先端で構成される内径が内側竿体の竿尻部の外径より小さいので、嵌合部材の襞状の嵌合保持部が湾曲して竿尻部にまとわりつく。そして、嵌合保持部の弾性力による摩擦により竿尻部が嵌合固定される。このとき、襞状の嵌合保持部が湾曲して竿尻部にまとわりついているので、内側竿体の竿尻部の外径寸法がある程度異なっていても、湾曲位置が変わることでこの変動を柔軟に吸収できる。しかも湾曲量は竿尻部の外径寸法によってあまり変動しないので、弾性力が変動しにくく、それによる嵌合力の変動も抑えられる。
【０００８】
発明２に係る釣り竿は、発明１に記載の竿において、前記尻栓は弾性体製であり、前記嵌合部材は尻栓と一体で形成されている。この場合には、尻栓と嵌合部材とが一体で形成されるので、形成部分の構成が簡素になる。
発明３に係る釣り竿は、発明１又は２に記載の竿において、前記嵌合保持部は、取付部の軸方向に長くかつ中心に向かうほど厚みが薄くなる板状部材である。この場合には、嵌合保持部が先細りの長い部材であるので、湾曲しやすく、かつ湾曲したときに先端部の逃げ代が多くなる。
【０００９】
発明４に係る釣り竿は、発明１から３のいずれかに記載の竿において、前記尻栓は、外周に前記外側竿体に螺合する雄ネジ部を有している。この場合には、尻栓が外側竿体にネジにより固定されるので、尻栓を外側竿体に着脱自在に装着できる。
発明５に係る釣り竿は、発明１から４のいずれかに記載の竿において、前記内側竿体と外側竿体の内部には釣り糸経路が形成されており、前記尻栓の竿尻側内周部には釣り糸を案内するガイドリングが装着されている。この場合には、中通し竿において、たとえば糸導入孔の竿先側に種々の外径寸法の穂先竿等の内側竿体を嵌合力の変動を抑えて嵌合固定できる。
【００１０】
【発明の実施の形態】
図１において、本発明の一実施形態による中通し竿は、元竿１と、元竿１に装着された穂先側竿体ユニット２とを有している  元竿１は、必要に応じて長さを変更可能なズーム機構３を有している。ズーム機構３は、第１手元側竿体４と、第１手元側竿体４の内部に第１手元側竿体４に対して伸縮自在に挿入された第２手元側竿体５とから構成されている。
【００１１】
第１手元側竿体４は、わずかに先細りの筒状に形成され、その一面にはリール１０が装着されるリールシート１１が形成されている。第１手元側竿体４は、竿尻部に取り付けられた尻栓１２を有している。
第２手元側竿体５は、第１手元側竿体４と同様に先細りの筒状に形成されている。第２手元側竿体５の竿尻部の外径は、第１手元側竿体４の竿先部の内径より大きい。これにより、伸長状態で、第２手元側竿体５は第１手元側竿体４から抜けず、かつ第１手元側竿体４と第２手元側竿体５とが固定される。第２手元側竿体５の竿先部には、図２に示すように、他の部分より外径が大きい肉厚部２０が形成されている。この肉厚部２０は、第２手元側竿体５が第１手元側竿体４内の尻栓１２付近まで挿入された状態で、第１手元側竿体４の竿先部内周に後端部が位置するように配置されている。このため、図１に示すズーム収縮状態で第１手元側竿体４の尻栓１２内部と第２手元側竿体５の竿尻部とで両者が嵌合により固定されるとともに、さらに第１手元側竿体４の竿先部と第２手元側竿体５の肉厚部２０とで両者が嵌合により固定される。
【００１２】
肉厚部２０の前部には、リール４からの釣り糸Ｌを竿体内部に導入する糸導入孔２１が形成されている。また、肉厚部２０の糸導入孔２１の後部外周面には、糸案内ガイド２２が装着されている。この糸案内ガイド２２は、第２手元側竿体５の肉厚部２０に取り付けられた脚部２３と、脚部２３の先端に装着された糸挿通部２４とを有し、糸導入孔２１との関係においては両者は固定された関係にある。すなわち、糸導入孔２１と糸案内ガイド２２との間の軸方向の距離は変化しない。糸挿通部２４には糸挿通孔２５が形成されている。なお、糸導入孔２１の縁及び糸案内ガイド２２の糸挿通孔２５の縁には、釣り糸を案内するセラミック製の硬質リング２６ａ，２６ｂが装着されている。
【００１３】
穂先側竿体ユニット２は、図１に示すように、トップガイド３０を有する最も先端の第１番竿３１と、第１番竿３１を支持するとともに内部に収納可能でかつ第２手元側竿体５に挿入可能な第２番竿３２とを有している。このように、穂先側竿体ユニット２を構成する２本の竿３１，３２は振出形式で連結されている。そして、これらの竿の内部には、釣り糸Ｌが挿通する内部経路Ｐ（図２）が形成される。
【００１４】
図２及び図３に、穂先側竿体ユニット２の後端部の構造を示す。なお、図２では、穂先側竿体ユニット２を収納した状態を示しており、図３では、第１番竿３１が第２番竿３２に収納される直前の状態を示している。
第２番竿３２の後端開口部には鍔付円筒状の合成樹脂製の尻栓３５が着脱自在に装着されている。尻栓３５の外周部には、尻栓３５を第２番竿３２に螺合するための雄ネジ部４０が形成されている。また、後端部には他の部分より小径の糸挿通孔４１（図３）が形成されており、糸挿通孔４１には、それより内径が小さい硬質リング２６ｃが装着されている。
【００１５】
尻栓３５の内周部には、弾性体製の筒状の嵌合部材４２が固定されている。嵌合部材４２は、円筒状の取付部４３と、取付部４３の内周側に周方向に間隔を隔てて配置された複数の嵌合保持部４４とを有している。嵌合保持部４４は、第１番竿３１の竿尻部３１ａを嵌合固定するものであり、図４に示すように、先端が中心方向に延び、かつ先端で構成される内径ｄが第１番竿３１の竿尻部３１の外径Ｄより小さい襞状のものである。また、嵌合保持部４４は、取付部４３の軸方向に長くかつ中心に向かうほど厚みが薄くなっている。なお、第１番竿３１の後端開口部には、釣り糸を案内する硬質リング２６ｄが装着されている。
【００１６】
このような実施形態の構造において、リール１０からの釣り糸を糸通しワイヤを使用して竿内部に挿入する場合は、穂先側竿体ユニット２を図２に示すように収縮状態にして糸導入孔２１の竿先側に配置する。穂先側竿体ユニット２を収縮状態にする際には、第１番竿３１を第２番竿３２内に挿入し、竿尻部３１ａが嵌合保持部４４に当接すると、第１番竿３１を回転させながら押し込む。このとき、嵌合保持部４４の先端で構成される内径ｄが第１番竿３１の竿尻部３１ａの外径Ｄより小さいので、図５に示すように、嵌合保持部４４が湾曲して竿尻部３１ａにまとわりつき、嵌合保持部４４の弾性力による摩擦により弾性的に第１番竿３１が嵌合固定される。このとき、襞状の嵌合保持部４４が湾曲して竿尻部３１ａにまとわりついているので、第１番竿３１の竿尻部３１ａの外径寸法がある程度大きくなっても、湾曲位置が変わることでこの変動を柔軟に吸収できる。しかも湾曲量は竿尻部３１ａの外径寸法によってあまり変動しないので、弾性力が変動しにくく、それによる嵌合力の変動も抑えられる。また、テーパ状孔で竿尻部を保持すると、竿尻部の外径寸法によって嵌合位置が軸方向でずれてしまい、外径寸法によって第１番竿３１の穂先の出代が変化するが、本実施形態では、嵌合位置をつねに同じ位置にすることができ、穂先の出代が変化しない。
【００１７】
また、釣り糸の巻き取りおよび繰り出し操作時においては、前述のように、糸案内ガイド２２を設けて釣り糸の触れを規制し、釣り糸が糸導入孔２１の前後の端縁に接触しない構成になっているので、釣り糸の摺動抵抗を小さくできる。さらに、釣り糸の接触する個所には硬質の案内リング２６ｂ〜２６ｄを設けているので、釣り糸の摺動抵抗をさらに小さくできる。
【００１８】
さらに、この実施形態では、糸案内ガイド２２が第２手元側竿体５に装着されているので、第２手元側竿体５を第１手元側竿体４に対して伸長させたとき、糸案内ガイド２２によって釣り糸が第２手元側竿体５から離れることとなり、第２手元側竿体５の表面に釣り糸が接触する機会を少なくできる。したがって、釣り糸の摺動抵抗がより少なくなる。
【００１９】
〔他の実施形態〕
（ａ）  図６に示すように、尻栓３５が弾性体製の場合には、尻栓３５を取付部４３と嵌合保持部４４とで構成し、嵌合部材を尻栓３５と一体で形成してもよい。この場合には、尻栓３５の構成が簡素になる。
（ｂ）  竿元側竿体の竿尻部まで竿先側竿体を収納する場合、竿元側竿体の尻栓にも本発明を適用できる。たとえば、上記実施形態において、第１手元側竿体４に装着される尻栓１２を、尻栓３５と同様に、図７に示すような構造にしてもよい。この尻栓１２は、外周部に第１手元側竿体４に螺合する雄ネジ部４０が形成されている。また、内周部に弾性体製の筒状の嵌合部材４２が固定されている。嵌合部材４２は、円筒状の取付部４３と、取付部４３の内周側に周方向に間隔を隔てて配置された複数の嵌合保持部４４とを有している。
（ｃ）  本発明は、中通し竿だけでなく、通常の振出竿にも適用できる。
【００２０】
【発明の効果】
本発明によれば、内側竿体を外側竿体内に収納すると、内側竿体の竿尻部に襞状の嵌合保持部が湾曲してまとわりつくので、内側竿体の竿尻部の外径寸法がある程度異なっていても、湾曲位置が変わることでこの変動を柔軟に吸収できる。しかも湾曲量は竿尻部の外径寸法によってあまり変動しないので、弾性力が変動しにくく、それによる嵌合力の変動も抑えられる。
【図面の簡単な説明】
【図１】本発明の一実施形態による中通し竿の側面図。
【図２】その収縮時の断面部分図。
【図３】第２番竿の後端部の尻栓を含む断面図。
【図４】尻栓の正面図。
【図５】尻栓に第１番竿が固定された状態を示す正面図。
【図６】他の実施形態の図３に相当する図。
【図７】他の実施形態の図３に相当する図。
【符号の説明】
１  元竿
２  穂先側竿体ユニット
１２，３５  尻栓
２６ｃ  ガイドリング
３１  第１番竿
３２  第２番竿
４０  雄ネジ部
４２  嵌合部材
４３  取付部
４４  嵌合保持部
【図１】
0003675580.tif 000002
【図２】
0003675580.tif 000003
【図３】
0003675580.tif 000004
【図４】
0003675580.tif 000005
【図５】
0003675580.tif 000006
【図６】
0003675580.tif 000007
【図７】
0003675580.tif 000008